(57)【要約】【課題】製氷皿からの離氷する構成を合理的で簡便化した製氷機ならびにその利用装置を提供する。【解決手段】製氷機１００は製氷皿２１の凹穴２１ａの中の液を凍らせて氷塊３１を製氷した後に製氷皿２１を反転させて氷塊３１を離氷する。駆動機構２２による製氷皿２１の反転にもとづいて製氷皿２１を下方側に反り返り状に湾曲させて氷塊３１の離脱を容易にする。湾曲させる機構として製氷皿２１の反転を行うための一方の軸心２２ａと、他方の軸心２５ａとを距離△ｄだけ、ずらせて配置する。製氷皿２１の一端２１Ｅを制止して他端２１Ｂを回転することにより製氷皿２１にねじれを起こさせる離氷と反り返りによる離氷とにより離氷をさらに容易にする。利用装置としては冷凍冷蔵庫などがある。【選択図】      図１
2004293920.tif 000002
【特許請求の範囲】
【請求項１】
複数の氷塊を形成するための凹穴を設けた製氷皿に入れた液体を冷却して凍らせた後に、前記製氷皿を反転させて、前記氷塊を離脱させるようにした製氷機であって、
前記反転にもとづいて前記製氷皿を下方側に反り返り状に湾曲させることにより前記氷塊の離脱を容易にする離氷手段
を具備することを特徴とする製氷機。
【請求項２】
複数の氷塊を形成するための凹穴を設けた製氷皿に入れた液体を冷却して凍らせた後に、前記製氷皿を反転させて、前記氷塊を離脱させるようにした製氷機であって、
前記反転にもとづいて、前記製氷皿を下方側に反り返り状に湾曲させるとともに、前記製氷皿にねじれを起こさせて前記氷塊の離脱を容易にする離氷手段
を具備することを特徴とする製氷機。
【請求項３】
前記反転を行うための一方の軸心と他方の軸心とを、垂直面内において、ずらせて配置することにより、前記湾曲を行わせることを特徴とする請求項１または請求項２記載の製氷機。
【請求項４】
前記反転を行うための一方の軸心と他方の軸心とを、垂直面内において、ずらせて配置することにより前記湾曲を行わせ、前記反転の位置で前記製氷皿の一方の端部を制止させるとともに他方の端部に前記制止に抗した回転力を与えることにより前記ねじれを起こさせることを特徴とする請求項２記載の製氷機。
【請求項５】
請求項１から請求項４のいずれかに記載の製氷機を具備することを特徴とする冷凍冷蔵庫。
【発明の詳細な説明】
【０００１】
【発明の属する技術分野】
この発明は、氷塊を製氷する製氷機ならびにその利用装置、例えば、冷凍冷蔵庫に関するものである。
【０００２】
【従来の技術】
家庭用の製氷機または家庭用の冷却庫などに組み付けられる製氷機として、図６〜図１０のような構成の製氷機（以下、第１従来技術という）が周知である。
【０００３】
なお、以下に説明する各図において、同一の符号で示す部分は、いずれかの図によって説明する同一符号の部分と同一の機能をもつ部分を示すものである。
【０００４】
図６において、製氷機１００は給液部１０・製氷部２０・貯氷部３０を主体として構成してある。そして、給液部１０には液容器１１・供給機構１２・導管１３を主体として構成してある。液容器１１は、貯氷部３０に貯える氷塊３１を作るための原液１１Ａ（図示せず）、例えば、水や果汁などを貯えるための液容器であり、開閉蓋１１Ｂの箇所から原液１１Ａを補給できるようにしてある。
【０００５】
供給機構１２は、製氷部２０の製氷皿２１に所定量の原液１１Ａを供給するための機構であって、例えば、適宜の箇所に配置（外部に離して配置する場合を含む）した制御部３５により制御される開閉弁または液体ポンプなどであり、また、導管１３は、供給機構１２から供給する原液１１Ａを製氷皿２１の所定箇所に導くための管体である。
【０００６】
製氷部２０は、製氷皿２１・駆動機構２２・検出腕２３を主体として構成してある。製氷皿２１は氷塊３１を形成するための凹穴２１Ａを複数配置した皿状体である。また、駆動機構２２は、電動機、例えば、パルスモータと減速機構の組み合わせであって、製氷皿２１を垂直面内において所要の回転角度だけ回転する駆動動作と、検出腕２３を所要の回転角度だけ回転する駆動動作とを行う機構を設けたものである。
【０００７】
検出腕２３は、その先端側２３Ａが貯氷部３０に貯蔵された氷塊３１の上面まで到達する移動量により、氷塊３１が所定量以下になっていることを検出して自動的に製氷動作を行わせるのものであり、この移動量の検出は、駆動機構２２の内部に設けた検出部分２４Ｘ、例えば、移動量に対応して移動するマグネットとそれに対向して配置したホール効果素子による検出などによって行い、この検出にもとづく制御部３５の動作によって供給機構１２を制御し、製氷皿２１に原液を供給している。こうした検出動作を所定の時間間隔で行うことにより、氷塊３１を貯えるようにしている。
【０００８】
貯氷部３０は、所要量の氷塊３１を貯蔵する容積をもつ容器であって、例えば、容器の前側の部分を手前に開くか、または、容器全体を手前に引き出すことにより、氷塊３１を取り出せるように構成してある。また、冷却用の冷気（図示せず）は、製氷皿２１の上面側に入れ込まれて、貯氷部３０を通って冷却機能部分（図示せず）に戻る経路で循環を行うように構成してある。
【０００９】
さらに、製氷部２０は、具体的には、図７〜図１０のように構成してある。なお、図７の〔イ−イ断面〕は中間箇所を凹穴２１Ａの中心部分を通る断面で示してある。図７・図８において、製氷皿２１は、弾性をもつ合成樹脂材で形成してある。
【００１０】
また、製氷皿２１の凹穴２１Ａは、氷塊３１の外形に沿って形成してあり、氷塊３１を、例えば、四角錐形の頭部を除去した形状、すなわち、裁頭四角錐形の底辺以外の箇所を曲面にした形状に形成するものとして、その氷塊３１を逆さまにした形状のうち、底面を除く外面を包む形状の凹穴にしてある。
【００１１】
そして、製氷皿２１の駆動機構２２側の端部２１Ｆに設けた組付部分２１Ｂと、駆動機構２２の駆動軸２２Ａとの組み付けは、図９の〔ニ−ニ断面〕のように、駆動軸２２Ａの断面形状を長四角形にしておき、この長四角形の部分を組付部分２１Ｂに嵌め込んで組み付けるように構成している。
【００１２】
また、駆動機構２２側と反対側の端部２１Ｅに突出させて設けた円筒形の軸部分２１Ｃは、全体を支持する枠体、すなわち、フレーム２５に設けた軸受穴２５Ａに差し込んで回転可能に保持している。
【００１３】
駆動機構２２は、フレーム２５に適宜の固定方法、例えば、駆動機構２２に設けた掛け爪部分をフレーム２５に設けた差込穴部分に差し込むか、または、合成樹脂材のねじを用いてねじ止めするなどにより固定してある。
【００１４】
そして、導管１３による原液１１Ａの供給は、フレーム２５の上面壁部２５Ｂに設けた穴部分２５Ｄから製氷皿２１に導き、各凹穴２１Ａの上面が原液１１Ａで連結されない程度に供給し、製氷皿２１を凹穴２１Ａが上に向いた水平状態の姿勢で冷却させている。また、冷却のための冷気はフレーム２５の背面の上方に設けた通気穴２５Ｈから入れ込ませている。
【００１５】
図８のように、製氷皿２１の裏面側に設けた温度検出器２４、例えば、サーミスタと制御部３５とによって凹穴２１Ａ内の原液１１Ａ（図示せず）が凍ったことを検出したときに、制御部３５からの制御によって駆動機構２２内の電動機を所定量だけ回転、例えば、パルスモータの場合には所定量のパルスを与えて、駆動軸２２Ａを回転する。
【００１６】
この回転は、図９の〔ハ−ハ断面〕のように、製氷皿２１を、例えば、矢印２１Ｒの方向に垂直面内で回転させて、図１０のように製氷皿２１を反転させることにより、製氷された氷塊３１を凹穴２１Ａ内から離脱（この発明において、離氷という）させて、下方の貯氷部３０に入れ込むように構成してある。
【００１７】
なお、この離氷を行う動作は、既に凍ったことを検出していて、検出腕２３により氷塊３１が所定量以下になったことを検出したときに行うように構成する場合もある。そして、その後に、製氷皿２１を逆に回転して元の位置に戻し、上記と同様に製氷動作を行わせるものである。
【００１８】
上記の離氷を容易にするために、製氷皿２１を反転させた後に、製氷皿２１に無理にねじれを起こさせるようにした構成（以下、第２従来技術という）が周知である。
【００１９】
この第２従来技術の構成は、図８と図９の〔ハ−ハ断面〕とに示したように、駆動側に対して他端側に当たる製氷皿２１の端部２１Ｅに、上記の回転を制止させるためのストッパーの一方として回転側突起部分２１Ｓを設けるとともに、回転側突起部分２１Ｓを反転姿勢で制止するための制止側突起部分２５Ｔを軸受部分２５Ａ側のフレーム２５に設けて構成してある。
【００２０】
そして、製氷皿２１を反転させて回転側突起部分２１Ｓを制止側突起部分２５Ｔを制止させることにより、製氷皿２１の一方の端部２１Ｅを制止させた後も、制御部３５により駆動機構２２を動作させて、駆動軸２２Ａを、さらに、所定量、例えば、回転角度３０°〜４０°分だけ所定時間、または、所定回数、例えば、２〜３回だけ回転駆動させることにより、製氷皿２１の他方の端部２１Ｆに、その制止に抗した回転力を与えることにより、製氷皿２１にねじれを起こさせるように構成したものである。
【００２１】
上記の第１従来技術・第２従来技術の構成による製氷機１００を、図１１のように、冷凍冷蔵庫５００に組み付けた構成（以下、第３従来技術という）が周知である。図１１において、冷凍冷蔵庫５００は、複数の冷却室５０１〜５０４を設けてあり、冷却室５０１は飲料・加工食品などを冷蔵保存するための冷却室、冷却室５０２・５０３は魚類・肉類などを冷凍保存するための冷却室、冷却室５０４は生野菜類などを冷蔵保存するための冷却室である。
【００２２】
そして、製氷機１００は、例えば、給液部１０を冷却室５０１の底部側に、製氷部２０・貯氷部３０を冷却室５０２に配置している。なお、冷却室５０２を左右２つの冷却室５０２・５０２Ａに分けて設けるとともに、冷却室５０２Ａの引出部分を貯氷部３０にした構成のものも周知である。
【００２３】
【特許文献１】
特開平１１−３２５６６７号公報
特許文献１は第１従来技術・第２従来技術を開示している。
【非特許文献１】
１９９５年１２月本願出願人三洋電機株式会社発行「冷凍冷蔵庫ＳＲ−４５ＳＫサービス技術資料」
非特許文献１は第１従来技術・第３従来技術を開示している。
【００２４】
【発明が解決しようとする課題】
上記の第１従来技術による製氷機１００での氷塊３１の離氷を容易にするために、第２従来技術のように、製氷皿２１によじれを起こさせる構成にする必要がある。
【００２５】
しかし、第２従来技術の構成によっても、製氷皿２１にねじれを起こさせているだけなので、製氷皿２１の中央部分での離氷は容易になるが、駆動軸２２Ａ側に近い縁側の箇所と、軸受部分２５Ａ側に近い縁側の部分とには、製氷皿２１に十分な変形が生じないため、これらの部分では氷塊３１が離脱せずに残されてしまうという不都合が生ずる。
このため、こうした不都合のない製氷機１００およびその利用装置、例えば、冷凍冷蔵庫の提供が望まれているという課題がある。
【００２６】
【課題を解決するための手段】
この発明は上記のような
複数の氷塊３１を形成するための凹穴２１Ａを設けた製氷皿２１に入れた液体、例えば、原液１１Ａを冷却して凍らせた後に、上記の製氷皿２１を反転させて、上記の氷塊３１を離脱させるようにした製氷機１００において、次のような第１の構成〜第５の構成を設けることにより、上記の課題を解決し得るようにしたものである。
【００２７】
そして、第１の構成は、上記の反転にもとづいて上記の製氷皿を下方側に反り返り状に湾曲させることにより上記の氷塊の離脱を容易にする離氷手段を設けて構成したものである。
【００２８】
第２の構成は、上記の反転にもとづいて、上記の製氷皿を下方側に反り返り状に湾曲させるとともに、上記の製氷皿にねじれを起こさせて上記の氷塊の離脱を容易にする離氷手段を設けて構成したものである。
【００２９】
第３の構成は、上記の第１の構成・第２の構成において、上記の反転を行うための一方の軸心と他方の軸心とを、垂直面内において、ずらせて配置することにより、上記の湾曲を行わせる構成を設けたものである。
【００３０】
第４の構成は、上記の第２の構成において、上記の反転を行うための一方の軸心と他方の軸心とを、垂直面内において、ずらせて配置することにより上記の湾曲を行わせ、上記の反転の位置で上記の製氷皿の一方の端部を制止させるとともに他方の端部に上記の制止に抗した回転力を与えることにより上記のねじれを起こさせる構成を設けたものである。
また、第５の構成は、冷凍冷蔵庫５００に上記の第１の構成〜第４の構成による製氷機１００を設けたものである。
【００３１】
【発明の実施の形態】
この発明の実施の形態として、この発明を上記の第１従来技術・第２従来技術の構成に適用した実施例を説明する。
【００３２】
【実施例】
〔第１実施例〕
以下、図１〜図５により第１実施例を説明する。なお、図１の〔ホ−ホ断面〕の中間箇所は凹穴２１Ａの中心部分を通る断面で示してある。
【００３３】
また、以下の説明において、上記の略直角方向とは、９０°±３０°程度の範囲の方向を言い、略水平方向とは、水平方向±３０°程度の範囲の方向を言い、略垂直方向とは、垂直方向±３０°程度の範囲の方向を言うものであり、反転した製氷皿の姿勢とは、図５のように、反転した製氷皿２１の凹穴２１Ａが並んだ面２１Ｐが反転された姿勢を言うものである。
【００３４】
なお、この発明において、製氷皿２１の反転とは、必ずしも、図５の〔垂直方向偏位構成〕ように、製氷皿２１の姿勢を１８０°回転させたを水平状の反転姿勢することを要するものではなく、離氷した氷塊２１が下方に落下できる程度に回転させることを言うものである。つまり、製氷姿勢から１３０°〜１８０°程度の範囲で回転させた状態を含むものであり、例えば、図２の〔斜方向偏位構成〕のように、製氷姿勢から１５０°程度に回転させた状態でもよいものである。
【００３５】
そして、この第１実施例の構成が上記の第１従来技術の構成と異なる箇所は次の箇所である。
第１には、図１と図５の〔垂直方向偏位構成〕のように、反転した製氷皿２１の姿勢を略水平方向２１Ｘとするとともに、反転を行うための一方の軸心となる駆動軸２２Ａの軸心２２ａと、他方の軸心となる軸受部分２５Ａの軸心２５ａとを、距離△ｄ、例えば、製氷皿２１の長手方向の長さＬ１の１／３０〜１／５０の距離だけ、略垂直方向２１Ｙに、垂直面内において、ずらせて配置するように構成した箇所である。
【００３６】
第２には、上記のように、略垂直方向に距離△ｄだけ、垂直面内において、ずらせて配置したことにより、図３のように、製氷皿２１を反転させた状態において、製氷皿２１に下方側に反り返り状に湾曲させる構成とした箇所である。
【００３７】
この反り返りによって、凹穴２１Ａの開口側が広げられるように変形するため、凹穴２１とその中に作られた氷塊３１（図示せず）との間に隙間が形成される方向の力が加わるので、氷塊３１の離脱、すなわち、離氷が、上記の第１従来技術の場合よりも、はるかに容易になるわけである。
【００３８】
第３には、軸受部分２５Ａに入れ込む軸部分２１Ｃを自在性をもたせた軸支持になるように、例えば、軸部分２１Ｃを球形の頭部をもつ形状の軸に変更して製氷皿２１の反転動作に支障がないように構成し、さらに、駆動軸２２Ａと製氷皿２１の駆動軸２２Ａ側の端部２１Ｆに設けた組付部分２１Ｂ、すなわち、図９の〔ニ−ニ断面〕に対応する部分を、図１の〔ト−ト断面〕のように、駆動軸２２Ａの断面の長手方向において、隙間２２Ｇを設けるとともに、駆動軸２２Ａを組付部分２１Ｂに入れ込む長さＬ２を後記の反り返りに対して十分に対抗し得る長さ、例えば、製氷皿２１の長さＬ１の１／２０程度以上の長さにして構成した箇所である。
【００３９】
つまり、図４のように、反転のための回転途中で、製氷皿２１が傾いた状態では、隙間２２Ｇによって駆動軸２２Ａ側に自在性を与えるとともに、軸部分２１Ｃの球形の頭部によって軸受部分２５Ａ側に自在性を与えており、図３のように、製氷皿２１が反り返らせる状態では長さＬ２の部分によって反り返りに対抗し得るようにするとともに、軸部分２１Ｃの球形の頭部によって軸受部分２５Ａに対する自在性がえられるように効果づけているものである。
【００４０】
第４には、図５の〔斜方向偏位構成〕のように、反転した製氷皿２１の姿勢を傾斜方向２１Ｈ、例えば、水平方向に対して−３０°にした姿勢、すなわち、１５０°だけ回転した姿勢に変更するとともに、軸心２２ａと軸心２５ａとを、製氷皿２１の姿勢に対して略直角方向２１Ｚに、例えば、距離△ｄだけ、垂直面内において、ずらせた位置に配置するように変更することにより、製氷皿２１を反転させた位置において、図３の場合と同様に、斜めながら下方側に反り返りを起こさせるように構成した箇所である。
【００４１】
つまり、この第１実施例の構成は、概括的には、第１には、上記のような製氷機１００において、
上記の反転、すなわち、製氷皿２１の反転にもとづいて上記の製氷皿２１を下方側に反り返り状に湾曲させることにより上記の氷塊３１の離脱を容易にする離氷手段を設けた上記の第１の構成を構成していることになるものである。
【００４２】
また、第２には、上記の第１の構成において、
上記の反転、すなわち、製氷皿２１の反転を行うための一方の軸心、例えば、駆動軸２２Ａの軸心２２ａと、他方の軸心、例えば、軸受部分２５Ａの軸心２５ａとを、例えば、図５の〔垂直方向偏位構成〕または〔斜方向偏位構成〕のように、垂直面内において、ずらせて配置することにより、上記の湾曲を行わせる構成を設けた上記の第３の構成を構成していることになるものである。
【００４３】
〔第２実施例〕
以下、図１〜図５・図８・図９により第２実施例を説明する。この第２実施例の構成が上記の第１実施例の構成と異なる箇所は、図１〜図５により説明したような上記の第１実施例の構成に加えて、図８・図９により説明したような上記の第２従来技術の構成を追加するように変更した箇所である。
【００４４】
具体的には、図８・図９の構成における回転側突起部分２１Ｓ・制止側突起部分２５Ｔを図１〜図５の構成の対応する箇所に、例えば、鎖線で示した回転側突起部分２１Ｓ・制止側突起部分２５Ｔのように配置して設ける。
【００４５】
そして、制御部３５（図示せず）により駆動機構２２を動作させて、製氷皿２１を反転させて、反り返りによる離氷動作を行わせるとともに、回転側突起部分２１Ｓを制止側突起部分２５Ｔに突き当てさせた後も、さらに、駆動軸２２Ａを、上記の第２従来技術と同様に、所定量だけ所定時間、または、所定回数だけ回転駆動させることにより、製氷皿２１にねじれを起こさせて離氷動作を行わせるように構成したものである。
【００４６】
したがって、この第２実施例によれば、製氷皿２１に反り返りと、ねじれとによる離氷力が作用するため、第１実施例の構成や第２従来技術の構成の場合に比べて、氷塊３１の離脱が、さらに、容易になるわけである。
【００４７】
つまり、この第２実施例の構成は、概括的には、第１には、上記のような製氷機１００において、
上記の反転、すなわち、製氷機２１の反転にもとづいて、上記の製氷皿２１を下方側に反り返り状に湾曲させるとともに、上記の製氷皿２１にねじれを起こさせて上記の氷塊３１の離脱を容易にする離氷手段を設けた上記の第２の構成を構成していることになるものである。
【００４８】
また、第２には、上記の第２の構成において、
上記の反転、すなわち、製氷皿２１の反転を行うための一方の軸心、例えば、駆動軸２２Ａの軸心２２ａと、他方の軸心、例えば、軸受部分２５Ａの軸心２５ａとを、例えば、図５の〔垂直方向偏位構成〕または〔斜方向偏位構成〕のように、垂直面内において、ずらせて配置することにより、上記の湾曲を行わせる構成を設けた上記の第３の構成を構成していることになるものである。
【００４９】
さらに、第３には、上記の第２の構成において、
上記の反転、すなわち、製氷皿２１の反転を行うための一方の軸心、例えば、駆動軸２２Ａの軸心２２ａと、他方の軸心、例えば、軸受部分２５Ａの軸心２５ａとを、例えば、図５の〔垂直方向偏位構成〕または〔斜方向偏位構成〕のように、垂直面内において、ずらせて配置することにより上記の湾曲を行わせ、
上記の反転の位置で上記の製氷皿２１の一方の端部２１Ｅを制止するとともに、他方の端部２１Ｆに上記の制止に抗した回転力を与えることにより、上記の製氷皿２１にねじれを起こさせる構成を設けた上記の第４の構成を構成していることになるものである。
【００５０】
〔第３実施例〕
以下、図１〜図５・図８・図９・図１１により第３実施例を説明する。この第３実施例の構成が上記の第１実施例・第２実施例の構成と異なる箇所は、図１〜図５により説明したような第１実施例の構成による製氷機１００、または、図１〜図５・図８・図９により説明した上記の第２実施例の構成による製氷機１００を、例えば、図１１により説明したような冷凍冷蔵庫５００に組み付けて構成したものである。
【００５１】
つまり、この第３実施例の構成は、概括的には、
冷凍冷蔵庫５００に上記の第１の構成〜第４の構成による製氷機１００を設けた上記の第５の構成を構成していることになるものである。
【００５２】
〔変形実施〕
この発明は次のように変形して実施することを含むものである。
（１）軸部分２１Ｃの構成を、製氷皿２１の端部２１Ｅ側に自在継手を設けた円筒状または丸棒状の軸部分に変更して構成する。
【００５３】
（２）軸部分２１Ｃ・軸受穴２５Ａの構成を、先端を円錐形に形成した軸部分と、この円錐形が入れ込まれるようにした軸受部分とに変更して構成する。
（３）製氷皿２１の凹穴２１Ａの数と配列を所要の数に変更して構成する。
（４）図６の製氷機１００の側面を正面側に変更して構成する。
（５）上記（４）の構成において、貯氷部３０の元の側面側を上方が開閉する開閉扉に変更して構成する。
【００５４】
（６）上記（４）の構成において、貯氷部３０を元の側面側から抜き差しできる引出に変更して構成する。
（７）駆動軸２２Ａと組付部分２１Ｂとを離脱させないための仕組み、例えば、合成樹脂材の割りピンで図２における組付部分２１Ｂの中央位置の箇所２２Ｘに設けた貫通穴をピン止めするなどによる仕組みを設けて構成する。
（８）制御部３５を冷凍冷蔵庫５００を制御する制御部の中に一体にして設けるように変更して構成する。
【００５５】
【発明の効果】
この発明によれば、以上のように、製氷皿の反転にもとづいて製氷皿を下方側に反り返り状に湾曲させて、製氷皿の凹穴の開口側が広げられるように変形させることにより、凹穴とその中に作られた氷塊との間に隙間が形成されるような力が加わえているので、氷塊の離脱、すなわち、離氷が従来技術の場合よりも、はるかに容易になる。
【００５６】
また、製氷皿の一端側の軸心と他端側の軸心とを、単に、垂直面内において、ずらせて配置するのみの構成によって、製氷皿の反り返りを行わせているので、構成が簡便で安価に提供できる。
【００５７】
さらに、製氷皿の反り返りに加えて、製氷皿にねじれを起こさせる構成では、これらが離氷に対して相乗的に作用するので、さらに、離氷が容易になる。
また、冷凍冷蔵庫に組み付けた構成においても、同様に、これらの離氷を容易にし、構成が簡便で安価に提供できるなどの特長が得られるという効果がある。
【図面の簡単な説明】
図面中、図１〜図５はこの発明の実施例を、図６〜図１１は従来技術を示し、各図の内容は次のとおりである。
【図１】要部構成縦断側面図
【図２】要部構成横断平面図
【図３】要部構成縦断側面図
【図４】要部構成縦断側面図
【図５】要部構成縦断正面図
【図６】全体構成内部斜視図
【図７】要部構成縦断側面図
【図８】要部構成横断平面図
【図９】要部構成縦断正面図
【図１０】要部構成斜視図
【図１１】全体構成斜視図
【符号の説明】
１０  給液部
１１  液容器
１１Ａ  原液
１１Ｂ  開閉蓋
１２  供給機構
１３  導管
２０  製氷部
２１  製氷皿
２１Ａ  凹穴
２１Ｂ  組付部分
２１Ｃ  軸部分
２１Ｅ  端部
２１Ｆ  端部
２１Ｈ  斜方向
２１Ｐ  面
２１Ｒ  回転方向
２１Ｓ  回転側突起部分
２１Ｘ  略水平方向
２１Ｙ  略垂直方向
２１Ｚ  略直角方向
２２  駆動機構
２２Ａ  駆動軸
２２Ｇ  隙間
２２ａ  軸心
２３  検出腕
２３Ａ  先端側
２４  温度検出器
２４Ｘ  検出部分
２５  フレーム
２５Ａ  軸受穴
２５Ｂ  上面壁部
２５Ｄ  穴部分
２５Ｈ  通気穴
２５Ｔ  制止側突起部
２５ａ  軸心
３０  貯氷部
３１  氷塊
３５  制御部
１００  製氷機
５００  冷凍冷蔵庫
５０１〜５０４  冷却室
５０２Ａ  冷却室
Ｌ１  長さ
Ｌ２  長さ
△ｄ  距離
【図１】
2004293920.tif 000003
【図２】
2004293920.tif 000004
【図３】
2004293920.tif 000005
【図４】
2004293920.tif 000006
【図５】
2004293920.tif 000007
【図６】
2004293920.tif 000008
【図７】
2004293920.tif 000009
【図８】
2004293920.tif 000010
【図９】
2004293920.tif 000011
【図１０】
2004293920.tif 000012
【図１１】
2004293920.tif 000013